(57)【要約】【課題】散水パーツ等の異なるサイズの多種類の管状製品を一種類の吊下部で体裁良く安価に陳列するこを可能にした吊下陳列具を提供する。【解決手段】吊下陳列具１０は、陳列用のフック１７に掛止部１２が掛け止められる。掛止部１２の下方には吊下部１３が設けられる。吊下部１３の所定の長さ位置には、少なくとも二以上の係止部１４Ａ、１４Ｂ、１４Ｃが設けられる。係止部１４Ａ、１４Ｂ、１４Ｃには、管状製品を支持する止めリング１５が弾性嵌合する。係止部１４Ａ、１４Ｂ、１４Ｃの下端近傍位置には、吊下部１３を分断可能な長さ調節溝Ｍ１、Ｍ２を設けるとよい。【選択図】　　　図１
2004121561.tif 000002
【特許請求の範囲】
【請求項１】
陳列用フックに掛け止められる掛止部と、
前記掛止部の下方に延び、管状製品の筒孔に挿入される吊下部と、
前記吊下部の所定長さ位置に設けられる少なくとも二以上の係止部と、
前記係止部に弾性嵌合することで前記係止部に係止され、管状製品を支持する止めリングとを備えたことを特徴とする吊下陳列具。
【請求項２】
前記吊下部の前記係止部の下端近傍位置に、前記吊下部を分断可能な長さ調節溝が設けられる、請求項１記載の吊下陳列具。
【請求項３】
前記長さ調節溝は、前記吊下部の外周面の周方向に連なる、請求項２記載の吊下陳列具。
【請求項４】
前記長さ調節溝は、前記吊下部の中心軸を挟んで互いに向き合うように平行に形成される、請求項２記載の吊下陳列具。
【請求項５】
前記吊下部には、前記係止部および前記吊下部の長さ方向に連なる開放スリットが設けられる、請求項１記載の吊下陳列具。
【請求項６】
前記止めリングの内径部に弾性変形可能な張り出し板を設ける、請求項１記載の吊下陳列具。
【発明の詳細な説明】
【０００１】
【発明の属する技術分野】
本発明は、吊下陳列具に関するもので、詳しくは、散水パーツ等の管状製品の陳列に適した吊下陳列具に関するものである。
【０００２】
【従来の技術】
散水ノズル、ホースリール等の散水具は、ホームセンター等の量販店で取り扱われることが多い。これに伴ってホースジョイント、パイプ等の管状製品が散水パーツとして販売されるようになっている。
従来、このような管状製品の展示形態としては、透明な剛性プラスチックフィルムで製品を覆い（ブリスターパック）、台紙の上にパック品を取り付けて陳列棚に吊り下げて展示するのが一般的である。しかしながら、このような展示方法では、フィルムや台紙の加工にコストがかかり、また、商品が嵩張るため、売り場スペースが狭くなってしまう問題があった。
【０００３】
これに対し、管状製品を吊り下げて陳列するようにした吊下陳列具が知られている（特許文献１，２）。これらの吊下陳列具では、掛止部の下方に吊下部を設け、この吊下部の下端に管状製品を係止する係止部を設けている。管状製品の筒孔に吊下部を通し、管状製品を係止部で支持することにより、パック詰めや袋詰めを行うことなく、管状製品を吊り下げて展示している。
【０００４】
【特許文献１】
特開平１１−１４７５６５号公報
【特許文献２】
特開２０００−２６７５７１号公報
【０００５】
【発明が解決しようとする課題】
しかしながら、このような従来の吊下陳列具では、次のような問題がある。すなわち、散水パーツのように用途や取付位置等により多種類の異なるサイズが存在する管状製品になると、吊下部の長さが管状製品の長さに合わないことがある。特に、長尺製品の場合には、吊下部の長さが足りず、製品を展示することができないこともある。あらかじめ吊下部を長尺製品の長さに合わせて設定しておくことも可能であるが、吊下部が長すぎると、通常サイズの製品を吊り下げるときに、吊下部の余った部分が邪魔になり、外観上の体裁が悪くなる。
また、係止部のサイズが管状製品の内径に合わず、管状製品を展示することができない場合もある。
本発明は、このような現状に鑑みなされたもので、散水パーツ等の異なるサイズの多種類の管状製品を単一の構成で体裁良く安価に陳列するこを可能にした吊下陳列具を提供することを目的としている。
【０００６】
【課題を解決するための手段】
前記課題を解決するための本発明の吊下陳列具は、
陳列用フックに掛け止められる掛止部と、
前記掛止部の下方に延び、管状製品の筒孔に挿入される吊下部と、
前記吊下部の所定長さ位置に設けられる少なくとも二以上の係止部とを備え、
前記係止部に弾性嵌合することで前記係止部に係止され、管状製品を支持する止めリングとを備えたことを特徴としている。
【０００７】
本発明の吊下陳列具によれば、管状製品を吊り下げる場合、複数の係止部のうち、管状製品の長さに合った最適な位置の係止部を選定する。次いで、この係止部の下端近傍位置で吊下部を切断する。このような状態で管状製品の筒孔に吊下部を通した後、最適位置の係止部に止めリングを弾性嵌合し吊下部に通す。そして、止めリングで管状製品を支持する。
【０００８】
このように本発明の吊下陳列具を用いると、管状製品のサイズに合わせて吊下部の長さを自在に調節することができる。このため、展示の際に、吊下陳列具と管状製品との長さの釣り合いがとれ、外観上の体裁を常に良好に保つことができる。
また、管状製品の内径にバラツキがあっても、止めリングによって管状製品を確実に保持することができる。すなわち、筒径が小さいものから大きなものまで幅広く止めリングで管状製品を支持することが可能になる。
さらに、本発明によれば、一種類の吊下陳列具で異なるサイズの管状製品を展示することができるため、大量生産による吊下陳列具の製造コストの削減を図ることが可能になる。
【０００９】
本発明の吊下陳列具は、前記吊下部の前記係止部の下端近傍位置に、前記吊下部を分断可能な長さ調節溝を設けるとよい。
吊下部の長さを調節する場合、切断用の道具（ニッパ、カッター等）を用いて吊下部を切断すると、切断位置や切断面の形状にバラツキが生じやすい。切断後、陳列用フックに吊下陳列具を吊り下げると、このようなバラツキが目立ちやすくなる。本発明によれば、あらかじめ係止部の下端近傍位置に長さ調節溝を設けておくことで、切断用の道具（ニッパ、カッター等）を用いることなく、均一な位置で吊下部を分断可能し、作業効率を高める。
【００１０】
前記長さ調節溝は、手作業で吊下部を均一に分断することができる程度の深さおよび長さであることが望ましい。例えば、前記長さ調節溝は、吊下部の外周面の周方向に連なるものであるとよい。このように長さ調節溝を形成すると、吊下部をいずれの方向に折り曲げても、長さ調節溝の位置で吊下部を容易に分断することができる。
また、前記長さ調節溝は、前記吊下部の中心軸を挟んで互いに向き合うように平行に形成してもよい。この場合、長さ調節溝が吊下部の両側に向き合って形成されるため、吊下部を折り曲げると、折曲げ部分の長さ調節溝の位置で吊下部が容易に分断される。
【００１１】
また、本発明の吊下陳列具は、前記吊下部に、前記係止部および前記吊下部の長さ方向に連なる開放スリットを設けるとよい。
本発明によれば、開放スリットによって係止部に複数の分割片が形成される。これらの分割片の間には開放スリットによる隙間が形成されるため、分割片がこの隙間を縮小または拡大するように弾性変形する。これにより、係止部に止めリングを弾性嵌合する作業が簡単になる。
【００１２】
さらに、本発明の吊下陳列具は、前記止めリングの内径部に弾性変形可能な張り出し板を設けるとよい。
本発明によれば、係止部に止めリングを嵌合するとき、張り出し板が係止部に押されて弾性変形し、リング孔の孔径を拡大する。止めリングが係止部を超えると、張り出し板が元の状態に戻り、止めリングが係止部に係止される。すなわち、張り出し板が弾性変形することによって、係止部に止めリングを嵌合する操作をより簡単かつ確実に行うことができる。
【００１３】
【発明の実施の形態】
以下、本発明の実施の形態を図面に基づいて説明する。
図１は、本発明の第１実施形態を示す斜視図である。図１に示すように、陳列具１０は、掛止部１２の下方に棒状の吊下部１３が設けられる。吊下部１３には係止部１４Ａ、１４Ｂ、１４Ｃが形成される。各係止部には円盤形の止めリング１５が係止される。管状製品の筒孔に吊下部１３を通し、止めリング１５を係止部１４Ａ、１４Ｂ、１４Ｃのいずれかに係止すると、管状製品が止めリング１５に支持され、吊下部１３に吊り下げられる。
【００１４】
掛止部１２の上部には、陳列用フック１７に陳列具１０を引っ掛けるための掛止孔Ｈ１が形成される。掛止孔Ｈ１は、吊下部１３のほぼ中心軸線上に配置される。これにより、陳列具１０に管状製品を取り付けて陳列フック１７に吊り下げると、吊下部１３がほぼ垂直に保たれ、管状製品を安定して保持することが可能になる。
【００１５】
掛止部１２の板面には貫通窓Ｗが設けられる。図２に示すように、掛止部１２の後方側には、貫通窓Ｗの周辺部に爪枠２１Ａ、２１Ｂ、２１Ｃが立ち上げられる。爪枠２１Ａ、２１Ｂ、２１Ｃには、管状製品の取り扱い説明等を記した冊子１９が保持される。
また、図１で正面側には、製品の名称や品番を表示したラベル１８が貼り付けられる。ラベル１８によって掛止部１２の正面側に貫通窓Ｗが現れないようになっている。
このように吊下陳列具１０は、管状製品の吊下機能、および冊子の保持機能を備えた商品タグとして使用することが可能である。
【００１６】
図３（Ａ）および（Ｂ）に陳列具１０の正面図および側面図を示す。
係止部１４Ａ、１４Ｂ、１４Ｃは、吊下部１３の長さ方向に配置されている。掛止部１２から係止部１４Ａ、１４Ｂ、１４Ｃまで距離は、各種管状製品の長さ合わせて設定されている。
【００１７】
図４に示すように、係止部１４Ａ、１４Ｂ、１４Ｃの側面は、下方に行くに従ってしだいに外径が小さくテーパ面になっている。このテーパ面の上端には係止部１４Ａ、１４Ｂ、１４Ｃの頂面（係止面）が連なる。この頂面は、吊下部１３の軸方向に対しほぼ直交する面になっている。
止めリング１５には、係止部１４Ａ、１４Ｂ、１４Ｃに嵌合可能なリング孔Ｈ２が形成される。リング孔Ｈ２の内径は、係止部１４Ａ、１４Ｂ、１４Ｃの頂面の外径よりも小さく、吊下部１３の外径よりもやや大きい。リング孔Ｈ２に係止部１４Ａ、１４Ｂ、１４Ｃを嵌合すると、止めリング１５の内径部がテーパ面を加圧する。
【００１８】
吊下部１３の軸方向には、分割スリット（開放スリット）Ｓ１、Ｓ２、Ｓ３が形成されている（図３参照）。分割スリットＳ１、Ｓ２、Ｓ３は、吊下部１３および係止部１４Ａ、１４Ｂ、１４Ｃの中心軸に沿って貫通し、互いに向き合う分割片を形成している。係止部１４Ａ、１４Ｂ、１４Ｃが止めリング１５により径方向内側に加圧されると、分割片同士が内側に撓み、分割スリットＳ１、Ｓ２、Ｓ３を閉じて係止部１４Ａ、１４Ｂ、１４Ｃの外径を小さくする。これにより、係止部１４Ａ、１４Ｂ、１４Ｃのテーパ面を超えて吊下部１３側に止めリング１５を弾性嵌合することが可能になる。
【００１９】
係止部１４Ｂおよび１４Ｃの直ぐ下方には、長さ調節溝Ｍ１、Ｍ２が形成される。長さ調節溝Ｍ１、Ｍ２は、吊下部１３の外周面に周方向に連なっている。溝幅および溝深さはほぼ一定である。
この長さ調節溝Ｍ１、Ｍ２を境に吊下部１３を折り曲げると、係止部１４Ｂ、１４Ｃの直ぐ下の位置で吊下部１３を簡単に分断することができる。
【００２０】
陳列具１０の製法としては、射出成形により掛止部１２、吊下部１３および係止部１４を一体成形することが望ましい。爪枠２１Ａ、２１Ｂ、２１Ｃおよび長さ調節溝Ｍ１、Ｍ２についても、射出成形時に吊下部１３に形成することができる。また、止めリング１５を同時に成形するようにしてもよい。
成形材料としては、ＡＢＳ樹脂等の適度な硬さのプラスチック材料を用いるとよい。このようなプラスチック材料を用いることで、吊下部１３を長さ調節溝Ｍ１、Ｍ２で折り曲げて分断しやすくなる。また、成形材料には、樹脂等のリサイクル材を使用してもよい。
【００２１】
次に、陳列具１０に管状製品を取り付ける方法について説明する。
図５に示すように、管状製品２０は、散水ノズルとフレキシブルホースとを接続するジョイント（散水パーツ）であって、その長さ寸法は吊下部１３の長さよりも短い。従って、陳列具１０をこのまま使用すると、管状製品２０の上側または下側に吊下部１３の余分な部分が露出してしまい、外観上の体裁が悪くなる。そこで、管状製品２０の長さに応じて吊下部１３をあらかじめ適当な長さに調節しておく。
【００２２】
吊下部１３の長さを調節する場合、まず、管状製品２０と吊下部１３の長さを比較し、管状製品２０を係止するための最適な係止部を選定する。図５の例では、下から２番目の係止部１４Ｂに管状製品２０を係止することが適切である。従って、係止部１４Ｂの直ぐ下に位置する長さ調節溝Ｍ１で吊下部１３を折り曲げて切断する。
このように吊下部１３の長さを調節した後、吊下部１３に管状製品２０を挿入し、係止部１４Ｂに止めリング１５を係止する。すると、図６に示すように、吊下部１３の露出部分を目立たせることなく、陳列具１０に管状製品２０が保持される。
なお、吊下部１３を折り曲げて分断するタイミングについては、吊下部１３に管状製品２０を挿入した後であってもよい。
【００２３】
このように第１実施形態によれば、管状製品２０のサイズに合わせて吊下部１３を適切な位置で切断し、管状製品２０を違和感なく吊り下げて展示することができる。
また、一種類の陳列具１０で異なるサイズの管状製品に対応するため、管状製品のサイズ毎に専用の陳列具を製造する必要がない。これにより、陳列具１０を量産しやすく、製造コストを大幅に削減することができる。
さらに、陳列具１０は、樹脂等の同材質で製造することができるため、廃棄時のゴミ分別の負担がなく、材料のリサイクルにも適する。
【００２４】
次に、本発明の第２実施形態について説明する。
図７に示すように、第２実施形態による陳列具３０は、掛止部３２の下方に鋸歯状の吊下部３３を設けたものである。吊下部３３の図７左右の側面には鋸歯状の係止部３４が形成される。図７前後の側面には、中心軸を挟んで向き合うように平行に長さ調節溝Ｍ３が形成されている（図８（Ｂ）参照）。
図８に示すように、長さ調節溝Ｍ３は、ほぼ均一な溝深さおよび溝幅で、吊下部３３の前後対象にほぼ同じ長さ位置に設けられる。長さ調節溝Ｍ３の向きは、吊り下げ方向に対し水平な向きに延びる。
【００２５】
各長さ調節溝Ｍ３は、吊下部３３の長さ方向にほぼ等間隔に配置されている（図７参照）。これにより、各溝Ｍ３が目盛りの機能を果たす。吊下部３３の長さの調節する場合、これらの目盛りを基準にすることで、管状製品の長さを簡単に図ることができる。
【００２６】
図９に示すように、止めリング３５の内径部には、張り出し片３８、３８が直径方向に向き合って延びている。張り出し片３８、３８は、止めリング３５の上下方向に撓む。リング孔Ｈ２に吊下部３３を押し込むと、係止部３４が張り出し片３８、３８を撓ませ、止めリング３５が係止部３４に弾性嵌合する。
【００２７】
図９に示すように、張り出し片３８、３８の先端部には、先端に行くに従って下方に傾斜する傾斜面が形成されている。これらの傾斜面は、図８に示すように、係止部３４の傾斜面と密着して嵌合し合う。これにより、係止部３４に止めリング３５を係止するとき、止めリングが嵌めやすく、かつ外れにくくなる。また傾斜面の間に隙間がないため、係止部３４と止めリング３５との間のガタ付きが防止される。
【００２８】
陳列具３０に管状製品２０を吊り下げる場合、管状製品２０の長さに合わせて吊下部１３の長さを調節する。このとき、最適な位置の長さ調節溝Ｍ３に沿って、吊下部１３を折り曲げて分断する。
次いで、吊下部１３に管状製品２０を挿入し、止めリング３５で管状製品２０を支持する。すると、図１０に示すように、吊下部１３の露出部が目立つことなく、陳列具３０に管状製品を吊り下げることが可能になる。なお、吊下部１３を折り曲げて分断するタイミングについては、吊下部１３に管状製品２０を挿入した後であってもよい。
【００２９】
このように第２実施形態によっても、一種類の陳列具によりサイズの異なった管状製品を体裁良く展示することが可能になる。また、第２実施形態によれば、吊下部３３の側面に係止部３４が鋸歯状に形成されるため、止めリング３５の位置を自在に設定することができる。
【００３０】
前記第１および第２実施形態を説明したが、本発明の実施形態はこれらに限られることなく種々の変更が可能である。例えば掛止部の形状は、矩形以外の多角形や円形であってもよい。また、掛止部には、掛止孔に代えて、鈎形のフック等を設けてもよい。また、係止部の数や位置は、管状製品の種類に応じて任意に変更することが可能である。
さらに、止めリングの形状は、円形に限られず、楕円形、多角形、菱形等の形状にしてもよい。
止めリングの張り出し板については、係止部に弾性嵌合するものであれば、形状は限定されない。図１１（Ａ）および（Ｂ）に示すように、止めリングの内周方向に所定間隔を保ってスリットを設け、これらのスリットの間に張り出し板４１、４２を形成してもよい。また、図１１（Ｃ）に示すように、止めリングの内周部に円弧状の切り欠きを設け、これらの切り欠きの間に張り出し板４３を形成してもよい。
【００３１】
【発明の効果】
以上説明したように、本発明によれば、次のような優れた効果を奏する。
（ａ）　単一構成で一種類の吊下陳列具により異なるサイズの管状製品を体裁良く簡単に吊り下げることができる。
（ｂ）　管状製品のサイズに応じて専用の吊下陳列具を製造する必要がないため、大量生産による製造コストの削減を図りやすい。
（ｃ）　パック詰めや袋詰めを行うことなく、管状製品を吊り下げて展示することができるので、直接展示品に触れてサイズ等の確認をすることができる。
（ｄ）　ブリスターパック等に比べより現品に近い状態で管状製品を陳列することができるため、売り場面積を効率よく使用することができ、コストも大幅に削減することができる。
（ｅ）　射出成形により同材質で量産することができ、樹脂材料のリサイクルにも適する。
（ｆ）　管状製品の包装に手間がかからず、作業時間の短縮化を図ることができる。
【図面の簡単な説明】
【図１】本発明の第１実施形態による吊下陳列具を示す斜視図である。
【図２】図１に示す陳列具の後方部分斜視図である。
【図３】本発明の第１実施形態による吊下陳列具を示すもので、（Ａ）は正面図、（Ｂ）は側面図である。
【図４】本発明の第１実施形態による吊下陳列具を示す部分拡大断面図である。
【図５】本発明の第１実施形態による吊下陳列具の使用方法を説明するための斜視図である。
【図６】本発明の第１実施形態による吊下陳列具の使用状態を示す斜視図である。
【図７】本発明の第２実施形態による吊下陳列具を示す斜視図である。
【図８】本発明の第２実施形態による吊下部および止めリングを示す部分拡大図であって、（Ａ）は正面図、（Ｂ）は側面図である。
【図９】本発明の第２実施形態による止めリングの一部切り欠き斜視図である。
【図１０】本発明の第２実施形態による吊下陳列具の使用状態を示す斜視図である
【図１１】本発明による止めリングの変形例を示す平面図である。
【符号の説明】
１０　　吊下陳列具
１２　　掛止部
１３　　吊下部
１４Ａ、１４Ｂ、１４Ｃ　係止部
１５　　止めリング
１７　　陳列用フック
１９　　冊子
２１Ａ、２１Ｂ、２１Ｃ　爪枠
Ｈ１　　　掛止孔
Ｈ２　　　リング孔
Ｍ１、Ｍ２　長さ調節溝
Ｓ１、Ｓ２、Ｓ３　分割スリット（開放スリット）
【図１】
2004121561.tif 000003
【図２】
2004121561.tif 000004
【図３】
2004121561.tif 000005
【図４】
2004121561.tif 000006
【図５】
2004121561.tif 000007
【図６】
2004121561.tif 000008
【図７】
2004121561.tif 000009
【図８】
2004121561.tif 000010
【図９】
2004121561.tif 000011
【図１０】
2004121561.tif 000012
【図１１】
2004121561.tif 000013